(57)【特許請求の範囲】
【請求項１】
演奏曲と次に演奏される予約曲との間に曲間メッセージを出力する機能を備えたカラオケ装置であって、
ログイン利用者管理手段と、選曲管理手段と、曲間メッセージ記憶手段と、曲間メッセージ出力制御手段と、を備え、
前記ログイン利用者管理手段は、現に当該カラオケ装置にログインしている利用者を、利用者ＩＤに基づき特定して管理し、
前記選曲管理手段は、利用者が選曲を行うと、選曲された楽曲の楽曲ＩＤに当該利用者の利用者ＩＤを付帯して、予約待ち行列として管理し、
前記曲間メッセージ記憶手段は、所定の記憶部に曲間メッセージを記憶させ、
前記曲間メッセージ出力制御手段は、演奏楽曲数が所定数に達する毎に、前記予約待ち行列を参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には曲間メッセージを出力しないように制御する、
ことを特徴とする曲間メッセージ出力制御機能を備えたカラオケ装置。
【請求項２】
演奏曲と次に演奏される予約曲との間に曲間メッセージを出力する機能を備えたカラオケ装置であって、
ログイン利用者管理手段と、選曲管理手段と、曲間メッセージ記憶手段と、曲間メッセージ出力制御手段と、を備え、
前記ログイン利用者管理手段は、現に当該カラオケ装置にログインしている利用者を、利用者ＩＤに基づき特定して管理し、
前記選曲管理手段は、利用者が選曲を行うと、選曲された楽曲の楽曲ＩＤに当該利用者の利用者ＩＤを付帯して、予約待ち行列として管理し、
前記曲間メッセージ記憶手段は、所定の記憶部に曲間メッセージを記憶させ、
前記曲間メッセージ出力制御手段は、演奏楽曲数が所定数に達する毎に、前記予約待ち行列を参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には楽曲の演奏毎に利用者ＩＤを比較し、利用者ＩＤの連続が途切れた時点で曲間メッセージを出力するように制御する、
ことを特徴とする曲間メッセージ出力制御機能を備えたカラオケ装置。
【発明の詳細な説明】
【技術分野】
【０００１】
本発明は、演奏曲と次に演奏される予約曲との間に曲間メッセージを出力する機能を備えたカラオケ装置に関するものである。
【背景技術】
【０００２】
カラオケ装置では、演奏曲と次に演奏される予約曲との間（いわゆる曲間）に、アーティスト情報、コンサート情報、新譜情報、店舗情報等の曲間メッセージを出力している。このような曲間メッセージは、利用者にとって有用なものではあるが、出力頻度が高すぎると、カラオケ装置を利用して歌唱を行おうとしている利用者を妨害することになってしまう。そこで、従来のカラオケ装置では、演奏予約が途切れた場合や所定演奏数毎に曲間メッセージを出力している。
【０００３】
適切な時期に曲間メッセージを出力する技術として、演奏曲と次の演奏曲との間に一定の周期をおいて定期的に曲間メッセージを出力する技術が開示されている（特許文献１参照）。この特許文献１に記載されている技術は、楽曲の演奏が終了した時点で、設定時間を経過しているか否かを判断し、設定時間が経過している場合に、曲間メッセージを出力するようにしたものである。
【０００４】
【特許文献１】特開平６−１０２８９２号公報
【発明の開示】
【発明が解決しようとする課題】
【０００５】
ところで、複数の利用者がカラオケ装置を利用する場合には、歌唱者が交代する際に、マイクの交換を行うための準備時間が必要である。また、ステージが設置された店舗の場合には、次の歌唱者がステージに上がるまでに時間を要するため、さらに長い準備時間が必要である。そこで、歌唱者が交代する際に要する準備時間の間に、曲間メッセージを出力すれば、歌唱者の交代に時間的余裕を与えることができると共に、準備時間を有効に利用することができる。
【０００６】
一方、別段の取り決めがなければ、一人の利用者が続けて何曲かを歌唱することが多々あり、この場合には曲間における準備時間を必要としない。また、一人の利用者が続けて何曲かを歌唱する場合に、歌唱者が交代する場合と同一の条件で曲間メッセージを出力すると、同じ歌唱者による連続歌唱に水を差すことになる。すなわち、従来の技術のように、カラオケ装置の利用態様を考慮せずに、所定の周期で曲間メッセージを出力したのでは、歌唱の楽しさを十分に享受することができない場合がある。
【０００７】
本発明は、上述した事情に鑑み提案されたもので、同一の歌唱者が連続して歌唱する場合に対応して、適切な時期に曲間メッセージを出力することにより、歌唱の楽しさを十分に享受させることが可能な曲間メッセージ出力制御機能を備えたカラオケ装置を提供することを目的とする。
【課題を解決するための手段】
【０００８】
本発明の曲間メッセージ出力制御機能を備えたカラオケ装置は、上述した目的を達成するため、以下の特徴点を有している。
すなわち、本発明の曲間メッセージ出力制御機能を備えたカラオケ装置は、演奏曲と次に演奏される予約曲との間に曲間メッセージを出力する機能を備えたカラオケ装置であって、ログイン利用者管理手段と、選曲管理手段と、曲間メッセージ記憶手段と、曲間メッセージ出力制御手段と、を備えたことを特徴としている。
【０００９】
ログイン利用者管理手段は、現に当該カラオケ装置にログインしている利用者を、利用者ＩＤに基づき特定して管理するための手段である。選曲管理手段は、利用者が選曲を行うと、選曲された楽曲の楽曲ＩＤに当該利用者の利用者ＩＤを付帯して、予約待ち行列として管理するための手段である。曲間メッセージ記憶手段は、所定の記憶部に曲間メッセージを記憶させるための手段である。曲間メッセージ出力制御手段は、演奏楽曲数が所定数に達する毎に、前記予約待ち行列を参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には曲間メッセージを出力しないように制御するための手段である。
【００１０】
また、本発明の曲間メッセージ出力制御機能を備えたカラオケ装置において、曲間メッセージ出力制御手段は、演奏楽曲数が所定数に達する毎に、予約待ち行列を参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には楽曲の演奏毎に利用者ＩＤを比較し、利用者ＩＤの連続が途切れた時点で曲間メッセージを出力するように制御するための手段として機能させてもよい。
【００１１】
本発明の曲間メッセージ出力制御機能を備えたカラオケ装置では、曲間メッセージ出力制御手段により、原則として、演奏楽曲数が所定数に達する毎に曲間メッセージを出力する。そして、同一の利用者が連続して歌唱を行う場合には、当該利用者の連続歌唱が終了した時点で曲間メッセージを出力する。
【００１２】
なお、曲間メッセージとは、アーティスト情報、コンサート情報、新譜情報、店舗情報、キャンペーン情報、サービス情報等のように、カラオケ装置の利用者にとって有益な情報のことである。また、曲間メッセージを出力するとは、カラオケ装置を構成する表示装置の表示画面に曲間メッセージを表示したり、スピーカから音声情報を発生したりすることをいう。
【発明の効果】
【００１３】
本発明の曲間メッセージ出力制御機能を備えたカラオケ装置は、曲間メッセージの出力タイミングであっても同一の利用者が連続して歌唱を行う場合には、当該利用者の連続歌唱が終了した時点で曲間メッセージを出力することにより、同一の歌唱者による連続歌唱に水を差すことがない。また、曲間メッセージの出力タイミングで利用者が交代する場合には、次の演奏楽曲との間に曲間メッセージが出力されるので、曲間における準備時間を有効に利用することができる。
【００１４】
このように、本発明の曲間メッセージ出力制御機能を備えたカラオケ装置によれば、同一の歌唱者が連続して歌唱する場合に対応して、適切な時期に、利用者にとって有益な情報である曲間メッセージを出力することができ、歌唱の楽しさを十分に享受させるだけではなく、利用者の利益を向上させることができる。
【発明を実施するための最良の形態】
【００１５】
以下、図面を参照して本発明の曲間メッセージ出力制御機能を備えたカラオケ装置の実施形態を説明する。図１は、本発明の実施形態に係る曲間メッセージ出力制御機能を備えたカラオケ装置の構成を示すブロック図である。本発明の実施形態に係る曲間メッセージ出力制御機能を備えたカラオケ装置は、演奏曲と次に演奏される予約曲との間に曲間メッセージを出力する機能を備えている。
【００１６】
＜カラオケ装置＞
図１に示すように、本発明の実施形態に係る曲間メッセージ出力制御機能を備えたカラオケ装置１０は、カラオケ本体２０、遠隔入出力端末４１、利用者ＩＤ取得手段４２、ミキシングアンプ４４、スピーカ４５、マイクロホン４６、表示手段４７を備えている。カラオケ本体２０と表示手段４７とは、有線方式又は無線方式により接続されている。
【００１７】
＜遠隔入出力端末＞
遠隔入出力端末４１は、ユーザインタフェース機能を備えており、カラオケ本体２０のローカル送受信手段２６に対して有線方式又は無線方式によりデータの送受信を行うようになっており、データの送受信を行うための回路基板及びプログラムと、楽曲検索手段４１ａとして機能させるためのプログラムと、楽曲索引データベース４１ｂと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００１８】
＜楽曲索引データベース＞
楽曲検索手段４１ａが参照する楽曲索引データベース４１ｂは、カラオケ装置１０で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、ネットワークカラオケシステムの場合には、カラオケ装置１０（カラオケ演奏端末）がホスト装置と通信を行う際に、適宜なタイミングで楽曲索引データベース４１ｂの内容が最新のものに更新される。
【００１９】
＜カラオケ本体＞
カラオケ本体２０は、バス２１、中央制御手段２２、ＲＯＭ２３、ＲＡＭ２４、ＨＤＤ２５、ローカル送受信手段２６、ログイン利用者管理手段２７、選曲管理手段２８、曲間メッセージ出力制御手段２９、音楽曲出力手段３０、再生制御手段３１、曲間メッセージ記憶手段３２を備えている。なお、ＨＤＤ２５には、楽曲データベース２５ａ、映像データベース２５ｂ、曲間メッセージ２５ｃが格納されている。
【００２０】
＜中央制御手段＞
中央制御手段２２は、カラオケ装置１０を総合的に制御するための手段であり、例えばＣＰＵ及びその周辺機器により構成されており、ＣＰＵ等がＲＯＭ２３等に記憶されたアプリケーションプログラムに従って動作することにより、制御機能を発揮することができるようになっている。
【００２１】
＜ＲＯＭ／ＲＡＭ＞
ＲＯＭ２３は、カラオケ装置１０を構成する各機器を制御するためのアプリケーションプログラムデータや数値データを記憶するための機器で、例えば半導体メモリ等で構成される。また、ＲＡＭ２４は、アプリケーションプログラムや種々のデータを一時的に読み込む一時記憶領域として機能する機器で、例えば半導体メモリ等で構成される。なお、物理的な半導体メモリによりＲＡＭ２４を構成するのではなく、ハードディスク記憶装置等を用いて仮想的なＲＡＭ２４を構成してもよい。本実施形態では、ＲＡＭ２４に、予約待ち行列２４ａが格納されている。
【００２２】
＜ＨＤＤ＞
大容量記憶装置であるＨＤＤ２５は、楽曲データベース２５ａ、映像データベース２５ｂ、曲間メッセージ２５ｃを格納するための手段である。なお、大容量記憶装置としては、ＨＤＤ２５の他に、データを書き替え可能なＤＶＤ等を用いることができる。
【００２３】
楽曲データベース２５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
【００２４】
映像データベース２５ｂは、演奏される楽曲に対応した背景映像を、当該楽曲の楽曲ＩＤに対応させた映像ファイルとして所定数格納したデータベースである。
【００２５】
曲間メッセージ２５ｃは、アーティスト情報、コンサート情報、新譜情報、店舗情報、キャンペーン情報、サービス情報等のように、カラオケ装置１０の利用者にとって有益な情報からなり、必要に応じて更新される。
【００２６】
＜送受信手段＞
ローカル送受信手段２６は、遠隔入出力端末４１との間でデータの送受信を行うための電子回路及びプログラムからなる。なお、カラオケ装置１０をスタンドアロンで使用するのではなく、ネットワークを介して複数のカラオケ装置１０（カラオケ演奏端末）とホスト装置とを接続して、ネットワークカラオケシステムを構築する場合には、ローカル送受信手段２６の他に、通信ネットワークにおける通信方式の整合性を保つための電子回路及びプログラムからなるネットワーク送受信手段を備える。
【００２７】
＜利用者ＩＤ取得手段＞
利用者ＩＤ取得手段４２は、利用者がカラオケ装置１０を利用する際に、利用者が所持するＩＤ媒体４３から利用者ＩＤを取得するための電子回路及びプログラムからなる。利用者ＩＤ取得手段４２で取得した利用者ＩＤは、ＲＡＭ２４に一時的に記憶され、ログイン利用者管理手段２７で管理される。ＩＤ媒体４３は、例えば、非接触型のＩＣカード、携帯電話、携帯情報端末等からなり、利用者ＩＤを記憶して、利用者ＩＤ取得手段４２との間でデータの送受信を行うことができるようになっている。
【００２８】
＜ログイン利用者管理手段＞
ログイン利用者管理手段２７は、現に当該カラオケ装置１０にログインしている利用者を、利用者ＩＤに基づき特定して管理するためのプログラムからなる。
【００２９】
＜選曲管理手段＞
選曲管理手段２８は、利用者により遠隔入出力端末４１における楽曲検索手段４１ａの機能を用いて選曲され、ローカル送受信手段２６を介して送信された当該選曲者の利用者ＩＤ、及び選曲された楽曲ＩＤを対応付けて予約待ち行列２４ａとしてＲＡＭ２４に格納し、管理するためのプログラムである。なお、楽曲選択の表示や予約待ち行列２４ａの表示は、遠隔入出力端末４１の入出力用表示部及び表示手段４７のいずれか一方、あるいは双方で行うことができる。
予約待ち行列は、例えば、楽曲が予約された順番に、楽曲ＩＤ、利用者ＩＤ等を関連付けて記憶したもので、予約待ち行列に記憶された順番で楽曲が演奏される。
【００３０】
＜曲間メッセージ記憶手段＞
曲間メッセージ記憶手段３２は、所定の記憶部に曲間メッセージ２５ｃを記憶させるためのプログラムからなる。曲間メッセージ２５ｃは、適宜なタイミングでカラオケ装置１０に入力される。入力元となる曲間メッセージ２５ｃのデータは、ＤＶＤやＣＤ−ＲＯＭ等の記憶媒体に記憶されたものであってもよいし、通信手段を介して接続されたホスト装置に記憶されたものであってもよい。なお、本実施形態では、ＨＤＤ２５に曲間メッセージ２５ｃを記憶させているが、ＤＶＤやＣＤ−ＲＯＭ等の記憶媒体に曲間メッセージ２５ｃが記憶されている場合には、当該ＤＶＤやＣＤ−ＲＯＭ等をそのまま記憶部として利用することができる。
【００３１】
＜曲間メッセージ出力制御手段＞
曲間メッセージ出力制御手段２９は、演奏楽曲数が所定数に達する毎に、予約待ち行列２４ａを参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には曲間メッセージを出力しないように制御するためのプログラムからなる。また、曲間メッセージ出力制御手段２９は、演奏楽曲数が所定数に達する毎に、予約待ち行列２４ａを参照し、現在演奏されている楽曲に付帯された利用者ＩＤと、次に演奏される楽曲に付帯された利用者ＩＤとを比較し、利用者ＩＤが一致しない場合には曲間メッセージを出力し、利用者ＩＤが一致する場合には楽曲の演奏毎に利用者ＩＤを比較し、利用者ＩＤの連続が途切れた時点で曲間メッセージを出力するように制御するためのプログラムであってもよい。
【００３２】
＜音楽曲出力手段＞
音楽曲出力手段３０は、楽曲ＩＤに基づいて楽曲データベース２５ａから抽出された演奏データをデジタル再生すると共にアナログ変換してミキシングアンプ４４に出力するための電子回路である。ミキシングアンプ４４は、マイクロホン４６から入力された歌唱者の歌唱音声と、音楽曲出力手段３０から送出される演奏データとをミキシングすると共に、アンプ機能により増幅してスピーカ４５より出力させるための装置である。なお、マイクロホン４６の数は１本に限られず、２本以上であってもよい。
【００３３】
＜再生制御手段＞
再生制御手段３１は、カラオケ演奏中に、楽曲データベース２５ａから抽出された楽曲データのうちの歌詞テロップデータ（歌詞文字データ）を当該楽曲の演奏データに同期させて表示手段４７に出力するための電子回路である。さらに、再生制御手段３１は、遠隔入出力端末４１を介した利用者からの操作指示による予約楽曲リストの表示等を表示手段４７に表示させる機能も有している。
【００３４】
＜表示手段＞
表示手段４７は、カラオケ演奏時の映像、歌詞テロップ等を表示するための装置で、例えば、ＣＲＴディスプレイ、液晶ディスプレイ、プラズマディスプレイ等により構成される。
【００３５】
＜予約楽曲への利用者ＩＤ付帯処理＞
図２を参照して、予約楽曲へ利用者ＩＤを付帯させる処理を説明する。図２は、予約楽曲への利用者ＩＤ付帯処理を示すフローチャートである。
予約楽曲へ利用者ＩＤを付帯させるには、図２に示すように、ログイン利用者管理手段２７により、利用者ＩＤを特定して管理し（Ｓ１）、選曲管理手段２８により、利用者ＩＤを付帯して、予約待ち行列に楽曲を登録する（Ｓ２）。
【００３６】
＜曲間メッセージの出力制御処理（第１の実施形態）＞
図３及び図４を参照して、第１の実施形態に係る曲間メッセージの出力制御処理を説明する。図３は、第１の実施形態に係る曲間メッセージの出力制御処理を示すフローチャート、図４は、第１の実施形態に係る曲間メッセージの出力判断を説明する説明図である。
【００３７】
第１の実施形態は、曲間メッセージの出力間隔を予め定めておき、所定数以上の楽曲を演奏した後に、利用者ＩＤの一致判断を行うようにしたものである。第１の実施形態に係る曲間メッセージの出力制御処理では、図３に示すように、まず、演奏楽曲数のカウント値を初期化する（Ｓ１１）。そして、予約待ち行列に従い楽曲を演奏し（Ｓ１２）、演奏楽曲数を積算し（Ｓ１３）、演奏楽曲数の積算値が所定値以上であるか否かを判断する（Ｓ１４）。なお、演奏楽曲数の判断基準となる所定値は、例えば３曲以上である。
【００３８】
ここで、演奏楽曲数の積算値が所定値未満である場合には、予約待ち行列に従い次の楽曲を演奏する（Ｓ１２）。一方、演奏楽曲数の積算値が所定値以上である場合には、予約待ち行列を参照し、現在演奏されている楽曲に付帯された利用者ＩＤと、次に演奏される楽曲に付帯された利用者ＩＤとを比較し（Ｓ１５）、利用者ＩＤが一致するか否かを判断する（Ｓ１６）。
【００３９】
ここで、利用者ＩＤが一致しない場合には、次の予約曲が演奏される前に曲間メッセージを出力する（Ｓ１７）。一方、利用者ＩＤが一致した場合には、曲間メッセージを出力せずに、予約待ち行列に従い次の楽曲を演奏する（Ｓ１２）。そして、利用者ＩＤが一致しなくなるまで、予約楽曲の演奏処理以降の処理（Ｓ１２〜Ｓ１６）を繰り返して実施する。
【００４０】
具体的には、図４に示すように、演奏楽曲数が３曲以上となると、現在演奏されている楽曲に付帯された利用者ＩＤと、次に演奏される楽曲に付帯された利用者ＩＤとを比較する。
【００４１】
図４に示す例では、通算第３曲目の選曲者の利用者ＩＤは＊＊＊Ａであり、通算第４曲目の選曲者の利用者ＩＤは＊＊＊Ｃである。したがって、この場合には、通算第３曲目と通算第４曲目との間に、曲間メッセージが出力され、演奏楽曲数のカウント値が初期化される。そして、通算第６曲目（曲間メッセージの出力後における３曲目）の選曲者の利用者ＩＤは＊＊＊Ａであり、通算第７曲目（曲間メッセージの出力後における４曲目）の選曲者の利用者ＩＤは＊＊＊Ａであるため、通算第６曲目と通算第７曲目との間では、曲間メッセージを出力できない。この場合には、利用者ＩＤの連続が途切れた通算第７曲目と通算第８曲目との間に、曲間メッセージが出力され、演奏楽曲数のカウント値が初期化される。この時点から次の３曲目は通算第１０曲目である。そして、通算第１０曲目（曲間メッセージの出力後における３曲目）の選曲者の利用者ＩＤは＊＊＊Ｂであり、通算第１１曲目（曲間メッセージの出力後における４曲目）の選曲者の利用者ＩＤは＊＊＊Ｃである。したがって、この場合には、通算第１０曲目と通算第１１曲目との間に、曲間メッセージが出力され、演奏楽曲数のカウント値が初期化される。
【００４２】
＜曲間メッセージの出力制御処理（第２の実施形態）＞
図５及び図６を参照して、第２の実施形態に係る曲間メッセージの出力制御処理を説明する。図５は、第２の実施形態に係る曲間メッセージの出力制御処理を示すフローチャート、図６は、第２の実施形態に係る曲間メッセージの出力判断を説明する説明図である。
【００４３】
第２の実施形態は、曲間メッセージ出力の判断タイミングを予め定めておき、当該判断タイミングが到来すると、利用者ＩＤの一致判断を行うようにしたものである。第２の実施形態に係る曲間メッセージの出力制御処理では、図５に示すように、予約待ち行列に従い楽曲を演奏し（Ｓ２１）、演奏楽曲数を積算し（Ｓ２２）、演奏楽曲数の積算値が所定値であるか否かを判断する（Ｓ２３）。演奏楽曲数の判断基準となる所定値は、例えば、３曲目、６曲目、９曲目、１２曲目のように、「３」の整数倍の楽曲数となった場合である。
【００４４】
ここで、演奏楽曲数の積算値が所定値でない場合には、予約待ち行列に従い次の楽曲を演奏する（Ｓ２１）。一方、演奏楽曲数の積算値が所定値である場合には、予約待ち行列を参照し、現在演奏されている楽曲に付帯された利用者ＩＤと、次に演奏される楽曲に付帯された利用者ＩＤとを比較し（Ｓ２４）、利用者ＩＤが一致するか否かを判断する（Ｓ２５）。ここで、利用者ＩＤが一致しない場合は、次の予約曲が演奏される前に曲間メッセージを出力する（Ｓ２６）。
【００４５】
一方、利用者ＩＤが一致した場合は、曲間メッセージを出力せずに、予約待ち行列に従い楽曲を演奏し（Ｓ２７）、演奏楽曲数を積算する（Ｓ２８）。そして、利用者ＩＤが一致しなくなるまで、利用者ＩＤの比較処理以降の処理（Ｓ２４、Ｓ２５、Ｓ２７、Ｓ２８）を繰り返して実施する。
【００４６】
具体的には、図６に示すように、第３曲目、第６曲目、第９曲目の演奏が行われると、現在演奏されている楽曲に付帯された利用者ＩＤと、次に演奏される楽曲に付帯された利用者ＩＤとを比較する。
【００４７】
図６に示す例では、第３曲目の選曲者の利用者ＩＤは＊＊＊Ａであり、第４曲目の選曲者の利用者ＩＤは＊＊＊Ｃである。したがって、この場合には、第３曲目と第４曲目との間に、曲間メッセージが出力される。また、第６曲目の選曲者の利用者ＩＤは＊＊＊Ａであり、第７曲目の選曲者の利用者ＩＤは＊＊＊Ａであるため、第６曲目と第７曲目との間では、曲間メッセージを出力できない。この場合には、利用者ＩＤの連続が途切れた第７曲目と第８曲目との間に、曲間メッセージが出力される。また、第９曲目の選曲者の利用者ＩＤは＊＊＊Ａであり、第１０曲目の選曲者の利用者ＩＤは＊＊＊Ｂである。したがって、この場合には、第９曲目と第１０曲目との間に、曲間メッセージが出力される。
【００４８】
＜他の実施形態＞
本発明の曲間メッセージ出力制御機能を備えたカラオケ装置１０及びその周辺装置を構成する機器や手段は上述したものに限定されず、必要な機器や手段のみの構成としたり、適宜他の機器や手段を付加したりすることができる。また、各手段をそれぞれ別個のものとして構成するのではなく、複数の機能を統合した手段として構成してもよい。
【００４９】
さらに、カラオケ装置１０をスタンドアロンで使用するのではなく、ネットワークを介して複数のカラオケ装置１０（カラオケ演奏端末）とホスト装置とを接続して、ネットワークカラオケシステムを構築してもよい。この場合には、ホスト装置に顧客データベースを設置し、この顧客データベースにより、利用者ＩＤ、氏名、セカンドネーム（例えば愛称）、住所、電話番号、生年月日、性別、職業、イメージデータ等の利用者情報を管理することができる。
【図面の簡単な説明】
【００５０】
【図１】本発明の実施形態に係る曲間メッセージ出力制御機能を備えたカラオケ装置の構成を示すブロック図。
【図２】予約楽曲への利用者ＩＤ付帯処理を示すフローチャート。
【図３】第１の実施形態に係る曲間メッセージの出力制御処理を示すフローチャート。
【図４】第１の実施形態に係る曲間メッセージの出力判断を説明する説明図。
【図５】第２の実施形態に係る曲間メッセージの出力制御処理を示すフローチャート。
【図６】第２の実施形態に係る曲間メッセージの出力判断を説明する説明図。
【符号の説明】
【００５１】
１０  カラオケ装置
２０  カラオケ本体
２１  バス
２２  中央制御手段
２３  ＲＯＭ
２４  ＲＡＭ
２４ａ  予約待ち行列
２５  ＨＤＤ
２５ａ  楽曲データベース
２５ｂ  映像データベース
２５ｃ  曲間メッセージ
２６  ローカル送受信手段
２７  ログイン利用者管理手段
２８  選曲管理手段
２９  曲間メッセージ出力制御手段
３０  音楽曲出力手段
３１  再生制御手段
３２  曲間メッセージ記憶手段
４１  遠隔入出力端末
４１ａ  楽曲検索手段
４１ｂ  楽曲索引データベース
４２  利用者ＩＤ取得手段
４３  ＩＤ媒体
４４  ミキシングアンプ
４５  スピーカ
４６  マイクロホン
４７  表示手段
【図１】
0005088881.tif 000002
【図２】
0005088881.tif 000003
【図３】
0005088881.tif 000004
【図４】
0005088881.tif 000005
【図５】
0005088881.tif 000006
【図６】
0005088881.tif 000007